(57)【要約】【課題】光ファイバからの漏洩光の感度向上を図るための漏洩光検出装置を補助する補助増幅器に関するものである。【解決手段】光ファイバを曲折して漏洩光を検出する漏洩光検出装置３０の上流側に配設する補助増幅器１であって、押圧部材５と固定部材１６の間に光ファイバ２０を曲折する凹凸部１２ａ〜１２ｃ、１７ａ〜１７ｃを形成し、前記凹凸部の曲率半径Ｒと光ファイバの口径ｄとの比を２．７７〜０.３３とする。【選択図】図２
2012002719.tif 000002
【特許請求の範囲】
【請求項１】
光ファイバを曲折して漏洩光を検出する漏洩光検出装置の上流側に配設する補助増幅器であって、
押圧部材と固定部材の間に光ファイバを曲折する凹凸部を形成し、
前記凹凸部の曲率半径と光ファイバの口径との比を２．７７〜０.３３であることを特徴とする漏洩光検出装置の補助増幅器。
【請求項２】
押圧部材と固定部材の間に光ファイバの曲折部を２個形成することを特徴とする請求項１の漏洩光検出装置の補助増幅器。
【請求項３】
押圧部材と固定部材の間に配設の光ファイバに、ネジ体を介して漏洩光量を調整することを特徴とする請求項２の漏洩光検出装置の補助増幅器。
【請求項４】
往復動可能な押圧部材に、固定されているガイド棒の端部にバネを取り付け、
前記押圧部材を固定するロック機構を備えていることを特徴とする請求項１から請求項３のいずれか１項の漏洩光検出装置の補助増幅器。
【発明の詳細な説明】
【技術分野】
【０００１】
本願発明は、光ファイバの活線判定または心線対照を行う為に、該光ファイバからの漏洩光を検出する漏洩光検出装置を補助する補助増幅器に関するものである。
【背景技術】
【０００２】
光ファイバに湾曲部が存在すると、その光ファイバを伝搬する光の一部は湾曲部で外部へ漏洩することが知られていているので、漏洩光検出装置ではその漏洩光を検出している。
この漏洩光検出装置の例として、特開２００２−２５７６７６号公報に開示のものがあり、その漏洩光検出装置３０の平面断面を図５に示す。
【０００３】
光ファイバ心線が装着されるファイバー挿入部５４に、心線を挟み込む固定クリップ５１と可動クリップ５２とを備えている。また、固定クリップ５１には一対の微少な凹部６１、６２を、可動クリップ５２には一対の微少な凸部６３、６４がそれぞれ形成してあり、これらの凹部６１、６２と凸部６３、６４により心線に小さな波形に変形を与える（マイクロベンディング）。そして、この漏洩光は、凹部６１、６２の下方に設けた受光センサ５４、５５で検出される。
【０００４】
前記漏洩光検出装置で漏洩光を検出するに当たって、１次被覆層の材料が紫外線硬化樹脂であり、２次被覆層の材料がナイロン樹脂である場合には、湾曲部において生じた光ファイバからの漏洩光は１次被覆層および２次被覆層を透過して外部に出易く、光ファイバ心線の湾曲部での検出感度は比較的充分である。
しかし、１次被覆層の材料がシリコーン樹脂であり、２次被覆層の材料がナイロン樹脂である場合には、光ファイバ心線の湾曲部での検出感度は、よくないことがわかった。
そこで、特開２００１−１５９５８０号公報では、第１の湾曲形成手段と第２の湾曲形成手段を設けて、前記第２の湾曲部からの漏洩光を検出する漏洩光検出手段を備える漏洩光検出装置が開示してある。
【先行技術文献】
【特許文献】
【０００５】
【特許文献１】特開２００２−２５７６７６号公報
【特許文献２】特開２００１−１５９５８０号公報
【発明の概要】
【発明が解決しようとする課題】
【０００６】
しかしながら、前記のように、第１の湾曲形成手段を設けて検出しても、その感度レベルは低く、活線状態の有無を誤判断することがある。そこで、発明者は、種々の実験をして、その原因として、第１湾曲手段における光ファイバの曲率半径が大きく、曲げ構造により挿入損失が大きくなることを突き止めた。
そこで、発明者は、光ファイバの曲率半径に関する、感度レベルを向上させることができる補助増幅器を提供するものである。
【課題を解決するための手段】
【０００７】
本願の請求項１の発明は、光ファイバを曲折して漏洩光を検出する漏洩光検出装置の上流側に配設する補助増幅器であって、押圧部材と固定部材の間に光ファイバを曲折する凹凸状の曲折部を形成し、前記凹凸部の曲率半径と光ファイバの口径との比を２．７７〜０.３３とする。
補助増幅器における光ファイバの漏洩光は、凹凸部の曲率半径と光ファイバの口径との比を２．７７〜０.３３にすることによって、検出感度の向上を図ることができる。
【０００８】
また、請求項２の発明は、押圧部材と固定部材の間に光ファイバの曲折部を２個形成することによって、漏洩光検出装置での漏洩光の検出感度を向上させる。
又、請求項３の発明は、押圧部材と固定部材の間に配設の光ファイバに、ネジ体を介して漏洩光量を調整することができ、検出感度の向上を図ることができる。
【０００９】
請求項４の発明は、往復動可能な押圧部材に、固定されているガイド棒の端部にバネを取り付け、前記押圧部材を固定するロック機構を備えているので、光ファイバを同じ条件で狭着した状態で測定でき、安定した状態で検出感度の向上を図ることができる。
【発明の効果】
【００１０】
本願の補助増幅器を漏洩光検出装置の上流側に配設することによって、漏洩光検出装置では高感度で漏洩光を検出することができる。
【図面の簡単な説明】
【００１１】
【図１】補助増幅器の平面断面図で光ファイバーをセットする前の図である。
【図２】補助増幅器の平面断面図で光ファイバーをセットした後の図である。
【図３】補助増幅器の光の漏洩量の調整機構を示す断面図である。
【図４】補助増幅器と漏洩光検出装置の使用状態の断面図である。
【図５】従来の漏洩光検出装置の平面断面図である。
【発明を実施するための形態】
【００１２】
本願発明の実施の形態について説明すると、図１は補助増幅器１の平面断面図で、光ファイバーをセットする前であり、図２は補助増幅器１の平面断面図あり、光ファイバ２０をセットした状態図である。又、図３は補助増幅器１の光の漏洩量の調整機構を示す断面図である。図４は補助増幅器１と従来の漏洩光検出装置３０の使用状態の断面図である。
【００１３】
補助増幅器１は、漏洩光検出装置３０の上流側にセットし、光の漏洩量を増幅させるものである。
この補助増幅器１は、箱２内において、押圧部材５に一対のガイド棒６が取り付けてあり、前記ガイド棒６の端部にはバネ８が配置してある。従って、押圧部材５は、押し下げると前記バネ８が縮み、離すと、バネ８の弾発力で元に戻る往復動が可能である。
【００１４】
又、前記往復動する押圧部材５を固定（ロック）するために、中央部に回動可能なカム１０が配設してあリ、ロック機構を構成する。このカム１０は楕円形状であり、カム１０の両端部には前記ガイド棒６を挿入可能な凹溝（破線）１１が形成してある。又、このカム１０を回転する操作具（摘み）（図示略）が取り付けてあり、操作具を介して回動軸９を回転して、カム１０の凹溝１１が水平状態になって、前記ガイド棒６に装着（押圧）することによってガイド棒６は固定されて、押圧部材５の往復動はロックされるし（図１）、一方、前記ロック状態から操作具を回転することによって、カム１０の凹溝１１が垂直状態になって、前記ガイド棒６から離脱すると、ガイド棒６は往復動可能になるアンロック状態になる（図２）。
【００１５】
又、前記押圧部材５には光ファイバを曲折する凹部１２ａ、凸部１２ｂ、凹部１２ｃで形成の２個の曲折部が下向きに形成してあり、前記凹部１２ａ、１２ｃおよび凸部１２ｂの曲率半径Ｒは、光ファイバの口径ｄが０．９ｍｍに対して、２．５〜３ｍｍである。従って、（曲折する凹部又は凸部の曲率半径Ｒ）/（光ファイバの口径ｄ）の比は、（２．５〜３ｍｍ）/０．９＝２．７７〜０.３３であり、この値は感度向上に好ましい。
又、前記押圧部材５の中央の凸部１２ｂには、ネジ体１５が貫通して取り付けてあり、このネジ体１５を回転する調節ボタン１８の回転量によって、そのネジ体１５の先端部は、前記凸部１２ｂから突出して、光ファイバ２０を押圧して、光の漏洩量の調整が可能である。
【００１６】
一方、前記昇降する押圧部材５に対応して、箱２内には、固定部材１６が設けてあり、この固定部材１６にも前記凹部１２ａ、１２ｃおよび凸部１２ｂに対応する凸部１７ａ、１７ｃおよび凹部１７ｂが形成してあり、その曲率半径Ｒは前記凹部１２ａ、１２ｃと凸部１２ｂの曲率半径Ｒと同じである。
従って、光ファイバ２０は、前記２個の曲折部で狭着され、且つ、ネジ体１５によって、光の漏洩量の調整が可能である。
【００１７】
次に、前記補助増幅器１の使用について、図４を参照して説明する。この補助増幅器１は、漏洩光検出装置３０の上流側にセットし、それら双方の装置１，３０の離隔距離Ｌは、補助増幅器１での漏洩光が漏洩光検出装置における漏洩光と合わさって、感度の向上を図ることができる２０〜３０ｍｍが好ましい。
そして、補助増幅器１のロックを解除して、光ファイバを押圧部材５と固定部材１６に形成の凹凸部（１２ａ〜１２ｃ，１７ａ〜１７ｃ）の間に挿入した後に押圧部材５を固定部材１６に向けて押し、操作具を回転させてロック状態にすると、光ファイバ２０は２つの曲折部が形成される。
【００１８】
そして、このロック状態であるため、光ファイバ２０は同じ条件で狭着されている。そして、必要なら、ねじ体１５を回転させて、光ファイバ２０への押圧量の相違による漏洩光量の調節をすることができ、補助増幅器１の曲折部で漏れた光は、漏洩光検出装置３０に設けてある曲折部からの漏洩光と合わさった光量として検出されるので、検出感度が向上した安定した状態で漏洩光を検出することができる。
【００１９】
また、前記押圧部材５と固定部材１６には２個の光ファイバ２０の曲折が形成してあるが、曲折する凹部の曲率半径Ｒ）/（光ファイバの口径ｄ）の比が２．７７〜０.３３であれば、１個でも、あるいは３個以上であってもよい。
又、漏洩光を漏洩光検出装置３０で検出するに当たって、補助増幅器１との離隔距離Ｌは、２０〜３０ｍｍであるが、漏洩量が多くなる３個以上の曲折部の場合には、更に遠ざかる位置に配設してもよい。
又、漏洩光量の調節をねじ体１５を回転量による光ファイバ２０への押圧量で行っているが、光ファイバ２０への押圧量をテーパ面で調節してもよい。
【符号の説明】
【００２０】
１      補助増幅器
２      箱
５      押圧部材
６      ガイド棒
８      バネ
９      回動軸
１０    カム
１１    凹溝
１２ａ  凹部
１２ｂ  凸部
１２ｃ  凹部
１５    ネジ体
１６    固定部材
１７ａ  凸部
１７ｂ  凹部
１８    調節ボタン
２０  光ファイバ
３０    漏洩光検出装置
【図１】
2012002719.tif 000003
【図２】
2012002719.tif 000004
【図３】
2012002719.tif 000005
【図４】
2012002719.tif 000006
【図５】
2012002719.tif 000007